(57)【要約】【課題】            送風力を必要以上に高めることなく、さまざまな様相を呈する傘の除水に効率的に機能する傘除水機を得る。【解決手段】        すぼめた傘１を、その石突き２を下にし、露先１１を上にして挿抜及び回転させることができる除水処理空間３と、この除水処理空間３に入れた傘１の外表に露先１１側から石突き２側に向かって高速空気流を噴出するブロワ１２と、ブロワ１２による高速空気流を除水処理空間３に入れた傘１の外表に沿って露先１１側から石突き２側に向かって斜めに案内する気流ガイド１７を備える。また、気流ガイド１７に傘１の親骨間膜部分を、気流により広げるウイングを両側に備える。【選択図】          図１
2005201567.tif 000002
【特許請求の範囲】
【請求項１】
すぼめた傘を、その石突きを下にし、露先を上にして挿抜及び回転させることができる除水処理空間と、この除水処理空間に入れた傘の外表に露先側から石突き側に向かって高速空気流を噴出する除水処理気流生成手段と、この除水処理気流生成手段による高速空気流を前記除水処理空間に入れた傘の外表に沿って露先側から石突き側に向かって斜めに案内する気流ガイドとを備えた傘除水機。
【請求項２】
請求項１に記載の傘除水機であって、除水処理気流生成手段による高速空気流を除水処理空間に入れた傘の外表に沿って露先側から石突き側に向かって複数個所から噴出させ、この各高速空気流を斜めに案内する気流ガイドをそれぞれに備えた傘除水機。
【請求項３】
請求項１又は請求項２のいずれかに記載の傘除水機であって、気流ガイドを除水処理空間に入れた傘の外表に沿って気流を流すべく傘側に湾曲させた傘除水機。
【請求項４】
請求項３に記載の傘除水機であって、気流ガイドに傘の親骨間膜部分を、気流により広げるウイングを両側に備えた傘除水機。
【請求項５】
請求項２に記載の傘除水機であって、気流ガイドを、除水処理空間に入れた傘の外表に沿って気流を流すべく傘側に湾曲させたものと、傘の親骨間膜部分を気流により広げるウイングを両側に備えた二種類で構成した傘除水機。
【請求項６】
請求項５に記載の傘除水機であって、除水処理空間の出し入れ口を楕円形状に構成し、この楕円形状の出し入れ口の長辺に沿って除水処理空間に入れた傘の外表に沿って気流を流すべく傘側に湾曲させた気流ガイドを配設し、短辺に沿って傘の親骨間膜部分を気流により広げるウイングを備えた気流ガイドを配設した傘除水機。
【請求項７】
請求項１〜請求項６までのいずれかに記載の傘除水機であって、除水処理空間に入れた傘の中間部から石突き側に向かって除水処理気流生成手段による高速空気流を噴出させるようにした傘除水機。
【請求項８】
請求項１〜請求項７までのいずれかに記載の傘除水機であって、除水処理空間を負圧にする吸込み送風機を備えた傘除水機。
【発明の詳細な説明】
【技術分野】
【０００１】
本発明は、傘に付着した水滴や雪を高速空気流により除去する傘除水機に関するものである。
【背景技術】
【０００２】
雨水や雪等で濡れた傘に高速空気流を当て短時間で除水処理する傘除水機が種々開発されている。それらの多くは、高速空気流の高い運動エネルギーをいかに傘に当て除水するかといった工夫が払われている。なお、この種の従来技術としては、特許文献１に開示されているものがある。
【０００３】
【特許文献１】特開平１１−１３２６５５号公報
【発明の開示】
【発明が解決しようとする課題】
【０００４】
従来の傘除水機は、濡れた傘をすぼめた状態で石突き側から差込み収納する傘収納部に、送風機から送風される空気流を噴出する噴出口が、傘に向かって全周を取り巻くように複数段にわたって設けられている。傘の露先から胴部へ向かう空気流と、胴部から石突きに向かう空気流により、収納部に入れた傘に付着した水滴を除去することができる。また、傘の襞が重なり合っても傘の内側にも送風され、襞面が送風により加振されたり、張力を受けて広げられることによって、効果的な除水能力を発揮できるようになっている。しかしながら、傘と一言で言っても、傘布の撥水性の悪いものや、撥水性の低下してしまったものや、傘布が軟質だったり、硬めだったりと、さまざまである。撥水性の悪い傘の場合、傘布への水滴の付着力が強いため、水滴を除去するには、付着力に打ち勝つだけの送風が必要になる。しかし、付着力に打ち勝つ送風を傘表面の全周に送り、一部を傘の内側に送っても、水滴除去のための送風力の方が大きく、送風による傘布の重なりができ易くなり、重なりができてしまうと、その部分へ送風しても水滴を除去することは困難となる。傘布の材質が異なる場合、送風によるはためきの周期や、変位量が異なり、一様に対応することはできない。そして傘の内側への送風により、傘が膨らむため送風中に傘を引き抜くには力が必要となるばかりでなく、露先が引っ掛かって引き抜くことが困難になったり、傘布と親骨が外れてしまうなどのトラブルが起きる。
【０００５】
本発明は、上記した従来の問題点を解決するためになされたものであり、その課題とするところは、送風力を必要以上に高めることなく、さまざまな様相を呈する傘の除水に効率的に機能する傘除水機を得ることである。
【課題を解決するための手段】
【０００６】
上記課題を解決するために本発明は、すぼめた傘を、その石突きを下にし、露先を上にして挿抜及び回転させることができる除水処理空間と、除水処理空間に入れた傘の外表に露先側から石突き側に向かって高速空気流を噴出する除水処理気流生成手段と、この除水処理気流生成手段による高速空気流を除水処理空間に入れた傘の外表に沿って露先側から石突き側に向かって斜めに案内する気流ガイドとを備える手段を採用する。
【発明の効果】
【０００７】
上記手段を採用することにより、除水処理空間に入れた傘の外表に沿って露先側から石突き側に向かって斜めに案内する気流ガイドにより、噴出される高速空気流の減衰が抑えられ、除水により有効に高速空気流を機能させることができ、さまざまな様相を呈する傘の除水に効率的に機能する傘除水機となる。
【発明を実施するための最良の形態】
【０００８】
本発明の傘除水機は、すぼめた傘を、その石突きを下にし、露先を上にして挿抜及び回転させることができる除水処理空間を備えている。この除水処理空間には、入れた傘の外表に露先側から石突き側に向かって高速空気流を噴出するノズルを有する除水処理気流生成手段が設けられている。除水処理空間には、除水処理気流生成手段のノズルから噴出される高速空気流を除水処理空間に入れた傘の外表に沿って露先側から石突き側に向かって斜めに案内する気流ガイドが設けられている。ノズルは、間隔をおいて複数個設けられ、その各々に気流ガイドが備え付けられている。気流ガイドは、除水処理空間に入れた傘の外表に沿って気流を流すべく傘側に湾曲していて、除水処理空間に入れた傘の外表に沿って気流を流すべく傘側に湾曲させたものと、傘の親骨間膜部分を気流により広げるウイングを湾曲部の両側に備えた二種類で構成され、この二種類の気流ガイドが交互に配置されている。
【０００９】
この傘除水機は、除水処理空間に濡れた傘をすぼめた状態で石突きを下にし、露先を上にして入れ、除水処理気流生成手段を動作させ、ノズルから高速空気流を噴出させることにより、濡れた傘を短時間で除水することができる。この除水処理空間には、入れた傘の外表に露先側から石突き側に向かってノズルから高速空気流が噴出する。この高速空気流は、除水処理空間に入れた傘の外表に沿って露先側から石突き側に向かって斜めに案内する気流ガイドにより、減衰が抑えられて到達距離が延び、傘布に付着した水滴を傘布から傘の全長にわたって引き離すことができる。気流ガイドは、除水処理空間に入れた傘の外表に沿って気流を流すべく傘側に湾曲していて、気流ガイドと傘の間に流れる高速空気流により負圧になるこの部分は、傘布を気流ガイド側に引き寄せ、傘布の重なり合いを防ぐ。気流ガイドには、傘の親骨間膜部分を気流により広げるウイングを湾曲部の両側に備えたもう一種類があり、この二種類の気流ガイドにより、傘の襞部と親骨部との傘布が高速空気流に晒される。除水処理空間に入れた傘を時計回り方向と反時計回り方向に交互に回し、襞部と親骨部を二種類の気流ガイドに沿わせることで、傘全体を短時間に除水することができる。
【００１０】
実施の形態１．
図１は、本実施の形態の傘除水機の断面図、図２は、ノズルの位置関係を示した斜視図、図３は、同じくノズルと気流ガイドとの関係を示した斜視図、図４は、気流ガイドを単独で示した斜視図、図５は、気流ガイドの機能を示した説明図、図６は、ノズルの構成を示した斜視図と側面図である。この実施の形態は、事務所や店舗等のロビーや玄関先に設置して、移動せずにその場で濡れた傘を除水処理する停止処理方式の傘除水機に関するものである。この傘除水機は、図１の断面図に示すように、すぼめた状態の傘１を略垂直方向に石突き２を下にして挿抜させることができる除水処理空間３と、この除水処理空間３に隣接して設けられた送気室４とからなる本体箱体５によって外殻が構成されている。
【００１１】
除水処理空間３は、漏斗形の底面６と、円形の出し入れ口７を有する天面及び周側面によって画成された、傘１を縦にして納めうる空間として画成され、その底面６中央には傘１の石突き２を挿入するパイプ状の石突き入れ８が設けられている。石突き入れ８は、傘１の石突き２を受容する部分であるとともに除水処理空間３の排気及び排水を行う部分でもある。天面の出し入れ口７は、除水処理空間３内に肩部９と首部１０によって連なり、すぼめた傘１を挿抜できる開口部として形成されている。この除水処理空間３には、傘１を、石突き２を下にして露先１１を上にして出し入れ口７から入れることができ、漏斗形の底面６によって石突き入れ８に、傘１の石突き２を案内させて円滑に入れることができる。そして除水処理空間３に入れた傘１は、柄を手で支え石突き２を軸にして正逆方向に自由に回転させることができる。
【００１２】
送気室４には除水処理気流生成手段としてのブロワ１２が吸込口を下に、吹出口を上にしてパッキンと防振部材によって挟持状態に組付けられている。ブロワ１２の吸込口は、本体箱体５の側部に開口した吸込風路１３に臨んでいる。吸込風路１３にはその内面に吸音材が貼設されている。ブロワ１２の吹出口が臨む送気室４には四本の送気パイプ１４が取付けられている。各送気パイプ１４は、除水処理空間３の肩部９の前後左右の四ヶ所に配設され、肩部９の前後左右の四ヶ所に取付けられたノズル１５に接続されている。各ノズル１５は、除水処理空間３に入れた傘１の襞部１６を外側に引き出した状態より干若外側になる位置の肩部９に、その噴出口が除水処理空間３の石突き入れ８に向かって取付けられている。
【００１３】
各ノズル１５の背後には近接して、除水処理空間３に入れた傘１側に湾曲した樋状の気流ガイド１７が肩部９から石突き入れ８の周辺までの間に略２０度程度の角度を持って取付けられている。気流ガイド１７は、図４に示すように石突き入れ８側に向かってその幅が漸減していて、ノズル１５から噴出する気流の拡散を防ぐとともに、流速を石突き入れ８側まで減衰させないような形状が採られている。
【００１４】
この傘除水機に雨水や雪で濡れた傘１をすぼめて石突き２側から除水処理空間３に入れるとセンサー１８により傘１の挿入が検知されブロワ１２が運転する。傘１の石突き２を石突き入れ８に受容させれば傘布に付いた水滴や雪を除去することができる。即ち、除水処理空間３に入れた傘１の外表に露先１１側から石突き２側に向かって高速空気流がノズル１５から噴出される。ノズル１５から噴出される高速空気流は、気流ガイド１７に案内され拡散や減衰が抑えられ、傘１の外表に沿って露先１１側から石突き２側に向かって斜めに吹出される。傘１を二三回時計回り方向と反時計回り方向に９０度〜１８０度回したり、上下に動かしたりすることにより濡れた傘１の除水が短時間で完了する。傘１を回すことで、傘１の親骨間膜部分である襞部１６が、気流ガイド１７に沿って流れる高速空気流によって負圧となるため外側に図５に示すように引き延ばされ、傘布の重なり合いのない状態にされて速やかに除水される。傘１から除去された水滴は、漏斗形の底面６に沿って石突き入れ８に流下し、ドレンとして除水処理空間３の外に排水処理される。除水処理空間３の排気も石突き入れ８から行われる。このようにこの傘除水機は、傘布の撥水性が低下していてもしていなくても、あるいは傘布の質が異なっていても、気流ガイド１７の働きにより送風力を必要以上に高めることなく、傘１の水を効率的に除水することができる。なお、ノズル１５については、図６のＡに示すような噴出口が円形のものや、Ｂに示すような楕円形のものや、Ｃに示すようなスリット形のものを採用することができる。
【００１５】
実施の形態２．
図７〜図１１によって示す本実施の形態の傘除水機は、気流ガイドの形態に工夫を講じたものであり、気流ガイドに係る構成以外は基本的に実施の形態１で示したものと同じである。従って、実施の形態１のものと同じ部分については、実施の形態１のものと同じ符号を用い、それらについての説明は省略する。
【００１６】
図７は、本実施の形態の傘除水機の主要部の斜視図、図８は、本実施の形態の他の傘除水機の主要部の斜視図、図９は、気流ガイドの配置を示した平面図、図１０は、気流ガイドを単独で示した斜視図、図１１は、気流ガイドの機能を示した説明図である。この実施の形態の傘除水機は、除水処理空間３の出し入れ口７が楕円形に形成されている。気流ガイド１７は、除水処理空間３に入れた傘１の外表に沿って気流を流すべく傘１側に湾曲させたものと、傘１の親骨間膜部分の襞部１６を気流により広げるウイング１９を湾曲部の両側に備えたものの二種類で構成され、この二種類の気流ガイド１７が交互に配置されている。ウイング１９は、図１０に示すように湾曲部の左右に外方に斜状に延びる翼として構成されている。
【００１７】
楕円形状の出し入れ口７の長辺に沿って、図９に示すように湾曲部だけの気流ガイド１７が配設され、短辺に沿ってウイング１９を備えた気流ガイド１７が配設されている。ウイング１９のある気流ガイド１７は、図１１に示すように傘１の親骨間膜部分の襞部１６を広げる機能を果たし、襞部１６に水滴が残らないようにする。楕円形状の短辺にこのウイング１９を持つ気流ガイド１７を配設することで親骨付近の傘布にウイング１９がより近接することになり、効率よく除水することができる。二種類の気流ガイド１７を交互に配置することにより、除水処理空間３において回転させた傘１の親骨部分から襞部１６にわたり円滑な除水が可能となる。図８に示すように一般的な傘１の親骨の本数である八本に対応するノズル１５を設け、二種類の気流ガイド１７を交互に配置することによって、除水処理空間３での傘１の回転操作を小さくでき、操作性の向上と使い勝手の向上を推進することができる。また、操作性は低下するもののノズル１５の数を減らし、ノズル１５の一個当りの噴流を強くし、除水性能を向上させることもできる。これ以外の機能は実施の形態１のものと同じである。
【００１８】
実施の形態３．
図１２と図１３によって示す本実施の形態の傘除水機は、ノズルの配置に工夫を講じたものであり、それに係る構成以外は基本的に実施の形態１や実施の形態２で示したものと同じである。従って、実施の形態１や実施の形態２のものと同じ部分については、それらのものと同じ符号を用い、その説明は省略する。
【００１９】
図１２と図１３は、この実施の形態の傘除水機の断面図である。この傘除水機は、除水処理空間３の中段に石突き２側に向かってノズル２０が増設されている。このノズル２０は、図１２に示すように気流ガイド１７内に設けても、図１３に示すように気流ガイド１７間に設けても良い。露先１１側のノズル１５と中間のノズル２０とは風路切換手段２１によって送風が切換わるようになっていて、除水処理初期には露先１１側のノズル１５から高速空気流が噴出され、その後、中間のノズル２０から高速空気流が噴出される。立てた状態の傘１では、石突き２側の除水が遅れることになるが、除水処理の後半において石突き２側に高速空気流を当てることで傘全長にわたる除水が円滑にできる。この構成を採用することにより、除水処理した傘１の露先１１側に残った水分が自然流下して石突き２側に溜まり、石突き２から滴下するような不都合を回避することができる。これ以外の機能は実施の形態１や実施の形態２のものと同じである。
【００２０】
実施の形態４．
図１４によって示す本実施の形態の傘除水機は、除水処理空間を負圧にする工夫を講じたものであり、それに係る構成以外は基本的に上述した各実施の形態で示したものと同じである。従って、実施の形態１〜実施の形態３のものと同じ部分については、それらのものと同じ符号を用い、その説明は省略する。
【００２１】
図１４は、この実施の形態の傘除水機の断面図である。この傘除水機は、除水処理空間３の石突き入れ８から空気を吸い込み、機外へ排気する吸込み送風機２２を備えている。吸込み送風機２２の吸込み力は、除水処理空間３の傘１の親骨を動かすほどのものではなく、襞部１６を外方に膨らませる程度でよい。吸込み送風機２２は、ブロワ１２と連動して動作し、除水処理中は除水処理空間３を負圧にする。これにより、傘１は、襞部１６が膨らんだ状態で除水が行われ、効果的な除水が可能になる。傘１内に空気流を送り込むのではないので、傘１の引き抜きの支障にはならない。これ以外の機能は各実施の形態のものと同じである。
【図面の簡単な説明】
【００２２】
【図１】傘除水機の断面図である。（実施の形態１）
【図２】ノズルの位置関係を示した斜視図である。（実施の形態１）
【図３】ノズルと気流ガイドとの関係を示した斜視図である。（実施の形態１）
【図４】気流ガイドを単独で示した斜視図である。（実施の形態１）
【図５】気流ガイドの機能を示した説明図である。（実施の形態１）
【図６】ノズルの構成を示した斜視図と側面図である。（実施の形態１）
【図７】傘除水機の主要部の斜視図である。（実施の形態２）
【図８】他の傘除水機の主要部の斜視図である。（実施の形態２）
【図９】気流ガイドの配置を示した平面図である。（実施の形態２）
【図１０】気流ガイドを単独で示した斜視図である。（実施の形態２）
【図１１】気流ガイドの機能を示した説明図である。（実施の形態２）
【図１２】傘除水機の断面図である。（実施の形態３）
【図１３】他の傘除水機の断面図である。（実施の形態３）
【図１４】傘除水機の断面図である。（実施の形態４）
【符号の説明】
【００２３】
１  傘、  ２  石突き、  ３  除水処理空間、  ７  出し入れ口、  １１  露先、  １２  ブロワ、  １５  ノズル、  １７  気流ガイド、  １９  ウイング、  ２０  ノズル、  ２２  吸込み送風機。
【図１】
2005201567.tif 000003
【図２】
2005201567.tif 000004
【図３】
2005201567.tif 000005
【図４】
2005201567.tif 000006
【図５】
2005201567.tif 000007
【図６】
2005201567.tif 000008
【図７】
2005201567.tif 000009
【図８】
2005201567.tif 000010
【図９】
2005201567.tif 000011
【図１０】
2005201567.tif 000012
【図１１】
2005201567.tif 000013
【図１２】
2005201567.tif 000014
【図１３】
2005201567.tif 000015
【図１４】
2005201567.tif 000016